(57)【要約】      （修正有）【課題】商品価値の高い完熟マンゴー等の果実の栽培において、鮮紅色を効率よく現出できる反射体を提供する。【解決手段】少なくとも片面に反射部が設けられた基材の略中央部に、完熟マンゴー等の果実８の落下防止用ネット９と係合する係合孔５を有する果実の鮮紅色出し反射体１であって、前記果実の鮮紅色出し反射体１は、前記果実８の下部で前記果実落下防止用ネット９と係合し、前記果実の鮮紅色出し反射体１と前記果落下防止用ネット９との係合は、前記果実８の落下時に解除されることを特徴とする。【選択図】図３
2006042658.tif 000002
【特許請求の範囲】
【請求項１】
少なくとも片面に反射部を有する基材の略中央部に、果実落下防止用ネットと係合する係合孔を有することを特徴とする果実の鮮紅色出し反射体。
【請求項２】
前記果実が、マンゴー等の熱帯果実である請求項１記載の果実の鮮紅色出し反射体。
【請求項３】
前記反射体は、前記果実の下部で前記果実落下防止用ネットと係合することを特徴とする請求項１又は２記載の果実の鮮紅色出し反射体。
【請求項４】
前記反射体と前記果実落下防止用ネットとの係合は、前記果実の落下時に解除されることを特徴とする請求項１乃至３記載の果実の鮮紅色出し反射体。
【発明の詳細な説明】
【技術分野】
【０００１】
本発明は、果実用反射体であって、とくにマンゴー等の果実の鮮紅色出し反射体に関するものである
【背景技術】
【０００２】
現在、南九州を中心として、熱帯果実の栽培が盛んに行なわれている。とくにマンゴーは、完熟して果実全体が鮮紅色となったものが付加価値の高い贈答用果物として位置づけられており、品質の向上のために様々な栽培方法が実践されている。例えば完熟して落下するマンゴーを、合成樹脂性ネット等で保護し栽培する方法や、マンゴーの木の周辺の地面に反射シートを設置し、反射シートで反射される日光等の光をマンゴーの果実に当て、日照不足による糖度の低下や色付きのばらつきを防止する栽培方法等が挙げられる。
【０００３】
ところが、マンゴーは果実の周辺に葉が多く繁茂しており、葉が陰となって光を遮りマンゴーの果実に光が当たらない箇所が生じ、完熟マンゴーの果実特有の鮮紅色とならず部分的に緑色や黄色が残るという問題点があった。また反射シートを使用した栽培方法の場合は、葉の陰でマンゴーに反射光が当たりにくいばかりでなく、比較的に日照条件の良い場所において合成樹脂性ネット等で保護され完熟し、鮮紅色となったマンゴーの果実にまで反射した光が当たるため、過剰な光によってマンゴーの果実の表面に日焼けが生じ、商品価値が下がってしまうという問題点もあった。しかも完熟したマンゴーの果実を探すためには、人手によって合成樹脂性ネット等の中に落下しているマンゴーの果実を一個つ確認するしか方法がなく、多くの時間と力を必要とした。
【０００４】
これらの問題点を解決するために、少なくとも片面を光反射面とした日光反射片に屈曲自在な取付用線体を設けて成る果樹栽培用日光反射具が提案されている（特許文献１参照。）。また、上端開口状の袋本体の上部を半透明に光遮蔽部とし、更に該光遮蔽部の下部より上記袋本体の下部に向けて透明部を形成せしめ、該袋本体１の開口端に枝に取り付けるための取付け金具を装着したことを特徴とする果実の鮮紅色出し袋も開示されている（特許文献２参照。）。
【特許文献１】実開昭６１−１８２２４０号公報
【特許文献２】実登３０２７１６５号公報
【発明の開示】
【発明が解決しようとする課題】
【０００５】
しかしながら、上記特許文献１に提案されている果樹栽培用日光反射具の場合、マンゴーの果実の下方から日光を反射させることはできるものの、完熟したマンゴーの果実が落下する際に、果樹栽培用日光反射具に接触したりまた取付金具によって果実に傷がつく危険性がある。
【０００６】
また、上記特許文献２の果実の鮮紅色出し袋では、太陽光線によるマンゴーの果実の肩部分の日焼けと完熟落下の防止は考慮されているものの、完熟落下後も底面からの光反射が継続され、日焼けを生じる惧れがあり、しかも完熟したマンゴーの果実と袋が接触したまま放置され、果実の接触面が変色する惧れもある。さらに、完熟したマンゴーの果実を探す作業に関しては何ら考慮されていないものである。
【０００７】
本発明は、上記の問題点に鑑みなされたもので、マンゴーの果実に反射させた光を確実に当て完熟マンゴーの果実の特有の鮮紅色を確実に発色させ、果実が完熟して落下する際には反射体も落下し果実に過度の光を当てることがなく、しかも落下した反射体は完熟したマンゴーの果実の位置を示すマーカーとして利用できる果実の鮮紅色出し反射体を提供する。
【課題を解決するための手段】
【０００８】
このため本発明では、少なくとも片面に反射部を有する基材の略中央部に、果実落下防止用ネットと係合する係合孔を有する果実の鮮紅色出し反射体であることを第１の特徴とする。
【０００９】
また、前記果実が、マンゴー等の熱帯果実であることを第２の特徴とする。
【００１０】
そして、前記反射体は、前記果実の下部で前記果実落下防止用ネットと係合することをことを第３の特徴とする。
【００１１】
さらに、前記反射体と前記果実落下防止用ネットとの係合は、前記果実の落下時に解除されることを第４の特徴とする。
【発明の効果】
【００１２】
本発明に係る果実の鮮紅色出し反射体によれば、マンゴー等の果実の落下防止用ネットと係合する係合孔を有し、前記果実の下部で係合するため反射した光を確実にマンゴー等の果実に照射することができるという優れた効果を有する。
【００１３】
また、マンゴー等の果実が完熟して落下する際に、前記果実が落下防止用ネット内で落下するため、前記落下防止用ネットと係合する前記反射体の係合孔部において前記果実の落下に伴う衝撃により拡張或いは裂け目が生じ、前記落下防止用ネットと前記反射体との係合が解除され反射体が地面に落下するため、前記落下した果実と反射体とが接触することがなく、また前記落下した果実に過剰な反射光が当たらず、しかも地面に落下した反射体は完熟したマンゴー等の果実の位置を示すマーカーとして利用できるという優れた効果を有する。
【発明を実施するための最良の形態】
【００１４】
以下、本発明を実施するための最良の形態を図面に示す実施例に基づいて説明するが、本発明が本実施例に限定されないことは言うまでもない。図１は本発明に係る果実の鮮紅色出し反射体の一実施例を示す平面図、図２は図１の側面図、図３は本発明に係る果実の鮮紅色出し反射体の使用状態を示す図である。図４は他の実施例を示す平面図である。
【実施例】
【００１５】
図１、図２に示すように、本発明に係る果実の鮮紅色出し反射体１は、反射部２と基材３とから構成されており折り曲げが容易な矩形のシート状とされている。反射部２はアルミ箔等からなり、太陽光を効率よく反射できものが使用される。また基材３は紙、合成紙、プラスチック等孔加工、折加工がし易いものであれば良い。４、６は折目、５は係合孔、７は切れ目を示しており、折目４に従い反射部２の方向に基材３を折り、所定の角度で固定させ太陽光をさらに効率よく反射させることができる。また係合孔５の周囲に設けられた折目６、切れ目７によって係合穴の大きさが微調整され後述する果実落下防止用ネットと係合する。
【００１６】
次に、図３により本発明に係る果実の鮮紅色出し反射体１の使用例について説明する。完熟期に近づいたマンゴー８には、合成樹脂性の果実落下防止用ネット９が取り付けられ、果実落下防止用ネット９の上部には金属フック１１を介して紐１２が取り付けられ、果樹の近傍に設けられた支持用の吊り具（図示せず）に連結される。果実落下防止用ネット９の下端部１０は閉塞されており、マンゴー８の地面への落下を防止する。果実の鮮紅色出し反射体１は反射部２をマンゴーの果実８に対向するよう向けられ、前記係合孔５に前記果実落下防止用ネット９の下端部１０が挿入され、マンゴー８の下部の果実落下防止用ネット９の所定位置で係合し保持される。この際前記折目６、切れ目７によって前記係合孔５の大きさが微調整され果実落下防止用ネット９との係合が容易になり取り付ける位置が自在に調整できる。さらに前記折目４に従って基材３を反射部２方向に折ることにより、マンゴー８に最適な反射光が供給できる角度に調整できる。
【００１７】
完熟したマンゴー８は果梗１３から切離れ、前記果実落下防止用ネット９内の下端部１０方向に落下し、果実落下防止用ネット９で保持されるが、マンゴー８の落下に伴い前記果実落下防止用ネット９に係合して保持されていた果実の鮮紅色出し反射体１は、前記マンゴーの果実８の落下による衝撃によって前記係合孔５の大きさが急激に広がり、また場合により切れ目７が裂け前記果実落下防止用ネット９との係合が解除され地面に落下する。このため完熟して落下したマンゴー８が前記果実の鮮紅色出し反射体１と接触することもなく、また完熟して落下したマンゴーに過剰な光を当てることもなく、さらに地面に落下した果実の鮮紅色出し反射体１は、完熟したマンゴーの位置を示すマーカーとして利用ができることになる。
【００１８】
図４は、本発明に係る果実の鮮紅色出し反射体の他の実施例を示しており、反射部１０２と基材１０３で構成され円形のシート状とされている。外周端から中心部に向かって所定の長さの切れ目１０７が４箇所形成され、切れ目１０７の端部同士を矩形に連接する折目１０４が形成されている。果実の鮮紅色出し反射体１０１の中央部には係合用孔１０５が形成され、係合用孔１０５の周囲には放射状に係合用切れ目１０６が形成されている。図４による果実の鮮紅色出し反射体１０１の使用方法は図３に示す使用例と同じであり、図１の果実の鮮紅色出し反射体１と同様の効果を奏する。
【００１９】
以上、本発明による果実の鮮紅色出し反射体によれば、果実の下部で果実落下防止用ネットと係合するため反射した光を確実にマンゴー等の果実に照射することができる。しかも前記反射体と前記果落下防止用ネットとの係合は、前記果実の落下時に解除されるため落下した果実と反射体とが接触することがなく、また前記落下した果実に過剰な反射光が当たらず、しかも地面に落下した反射体は完熟したマンゴー等の果実の位置を示すマーカーとして利用できる。
【図面の簡単な説明】
【００２０】
【図１】本発明に係る果実の鮮紅色出し反射体の一実施例を示す平面図である。
【図２】図１の側面図である。
【図３】本発明に係る果実の鮮紅色出し反射体の使用状態を示す図である。
【図４】本発明に係る果実の鮮紅色出し反射体の他の実施例を示す平面図である。
【符号の説明】
【００２１】
１、１０１          果実の鮮紅色出し反射体
２、１０２          反射部
３、１０３          基材
４、６、１０４      折目
５、１０５          係合孔
７、１０７          切れ目
８                  マンゴー
９                  果実落下防止用ネット
１０                  下端部
１１                  金属フック
１２                  紐
１３                  果梗
１０６                  係合用切れ目
【図１】
2006042658.tif 000003
【図２】
2006042658.tif 000004
【図３】
2006042658.tif 000005
【図４】
2006042658.tif 000006